【事件の表示】
　昭和６３年特許願第２４５５０１号「コードレステレホン」拒絶査定に対する審判事件（平成２年３月３０日出願公開、特開平２−９２１２１）について、次のとおり審決する。
【結論】
　本件審判の請求は、成り立たない。
【理由】
Ｉ　本願発明
　本件審判請求に係る特許願は昭和６３年９月２９日になされており、明細書及び図面の記載からみて、
　その特許請求の範囲の欄の請求項１の記載に係る発明（以下、「本願発明」という）の目的、効果は、通話チャンネルを開くことによるコントロールチャンネルでの混変調妨害の発生を防止することであり、
　本願発明の構成は、
「親機が複数組の送信回路及び受信回路を有し、前記親機と複数の子機との間にコントロールチャンネルを使用して同時に通話チャンネルを開くことができるようにし、前記親機の受信回路が通話チャンネルを順次スキャンすることにより空いている通話チャンネルを示すデータを、空きチャンネル情報としてメモリに登録し、前記親機と複数の子機の間に、前記通話チャンネルを開くとき、前記メモリに登録されている空きチャンネル情報の示す通話チャンネルでチャンネルを開くようにしたＭＣＡ方式のコードレステレホンにおいて、
　前記空いている通話チャンネルを示すデータを、空きチャンネル情報として前記メモリに登録するとき、前記空いている通話チャンネルの周波数と、使用中の通話チャンネルの周波数とから算出した混変調信号の周波数が前記コントロールチャンネルの周波数に略等しい場合は、前記空いている通話チャンネルを示すデータを前記空きチャンネル情報として前記メモリに登録することを禁止することを特徴とするコードレステレホン」
である。
（特許請求の範囲の欄参照、なおＥ課題を解決するための手段の欄の記載はこれと異なる）
ＩＩ　周知の発明
　親機が複数組の送信回路及び受信回路を有し、前記親機と複数の子機との間にコントロールチャンネルを使用して同時に通話チャンネルを開くことができるようにし、前記親機と複数の子機の間に前記通話チャンネルを開くとき、空きチャンネル情報の示す通話チャンネルでチャンネルを開くようにしたＭＣＡ方式の無線電話装置、
の発明（以下「周知の発明」という）は、例えば、特開昭５０−３９８０４号公報（昭和５０年４月１２日特許庁発行）、特開昭５０−６２７０５号公報（昭和５０年５月２８日特許庁発行）、特開昭６２−４８１３６号公報（昭和６２年３月２日特許庁発行）等に記載されているように周知である。
ＩＩＩ　刊行物記載の発明
１　当審が平成１１年６月２８日付けで通知した拒絶の理由において提示した、特開昭６０−４２９５２号公報（昭和６０年３月７日特許庁発行、以下「引用文献１」という）には、
　「無線機」の間に「制御チャンネル（Ｃチャンネル）」を使用して同時に「通話用チャンネル（Ｓチャンネル）」を開くことができるようにし、前記「無線機」の受信回路が「通話用チャンネル」を順次スキャンすることにより空いている「通話用チャンネル」を示すデータを、空きチャンネル情報としてメモリに登録し、前記「無線機」の間に、前記「通話用チャンネル」を開くとき、前記メモリに登録されている空きチャンネル情報の示す「通話用チャンネル」でチャンネルを開くようにしたＭＣＡ方式の無線通信装置、
の発明であって、
　「制御チャンネル」で混変調妨害が発生すると「長時間発呼不能となる不都合が生じ」ることが記載されている。
　ここで、上記発明を本願発明の用語で表現する。
　上記発明の「制御チャンネル（Ｃチャンネル）」、「通話用チャンネル（Ｓチャンネル）」は、夫々本願発明の「コントロールチャンネル」、「通話チャンネル」と同義であり、
　上記発明の「無線機」は本願発明の「親機」或いは「子機」と等価であり、
　上記発明の「無線通信装置」は本願発明の「コードレステレホン」を包摂することを考慮すると、
　引用文献１には、
　親機と子機との間にコントロールチャンネルを使用して同時に通話チャンネルを開くことができるようにし、前記親機の受信回路が通話チャンネルを順次スキャンすることにより空いている通話チャンネルを示すデータを、空きチャンネル情報としてメモリに登録し、前記親機と子機の間に、前記通話チャンネルを開くとき、前記メモリに登録されている空きチャンネル情報の示す通話チャンネルでチャンネルを開くようにしたＭＣＡ方式の無線通信装置、
の発明（以下、「第１の発明」という）であって、
　「制御チャンネル」で混変調妨害が発生すると「長時間発呼不能となる不都合が生じ」ることが記載されている。
２　同様に、当審が平成１１年６月２８日付けで通知した拒絶の理由において提示した、実願昭５９−７００８８号（実開昭６０−１８１９４５号公報）のマイクロフィルム（昭和６０年１２月３日特許庁発行、以下「引用文献２」という）には、
　「呼び出しチャンネル」と通話チャンネルを有し、発呼動作指令に応答して「空き通話チャンネル」を自動的に探索して探索された「空き通話チャンネル」を交信用通話チャンネルとして選択する「無線通信機」において、
　「空き通話チャンネル」を示すデータを、空きチャンネル情報として「記憶手段」に登録するとき、通話チャンネルで混変調妨害が発生する場合は、前記空きチャンネル情報として前記「記憶手段」に登録することを禁止する「無線通信機」
　具体的には、偶数番号の通話チャンネルを前記「記憶手段」に登録することを禁止し（請求項２）、または奇数番号の通話チャンネルを前記「記憶手段」に登録することを禁止する（請求項３）「無線通信機」
であって、
　通話チャンネルを開くことによるチャンネルでの混変調妨害の発生を防止することができる、という発明が記載されている。
　ここで、上記発明を本願発明の用語で表現する。
　上記発明の「呼び出しチャンネル」、「記憶手段」は、夫々本願発明の「コントロールチャンネル」、「メモリ」と同義であり、
　上記発明の「無線通信機」は本願発明の「コードレステレホン」を包摂することを考慮すると、
　引用文献２には、
　コントロールチャンネルと通話チャンネルを有し、発呼動作指令に応答して空き通話チャンネルを自動的に探索して探索された空き通話チャンネルを交信用通話チャンネルとして選択する無線通信機において、
　空き通話チャンネルを示すデータを、空きチャンネル情報としてメモリに登録するとき、通話チャンネルで混変調妨害が発生する場合は、前記空きチャンネル情報として前記メモリに登録することを禁止する無線通信機、
であって、
　通話チャンネルを開くことによるチャンネルでの混変調妨害の発生を防止することができる、
という発明（以下、「第２の発明」という）が記載されている。
ＩＶ　本願発明の創作可能性
　本願発明（以下、「前者」という）と周知の発明（以下、「後者」という）とを比較すると、
　両者が、
　親機が複数組の送信回路及び受信回路を有し、前記親機と複数の子機との間にコントロールチャンネルを使用して同時に通話チャンネルを開くことができるようにし、前記親機と複数の子機の間に前記通話チャンネルを開くとき、空きチャンネル情報の示す通話チャンネルでチャンネルを開くようにしたＭＣＡ方式の無線電話装置、
を構成要件としている点で一致しており、
▲１▼　前者が、前記親機の受信回路が通話チャンネルを順次スキャンすることにより空いている通話チャンネルを示すデータを、空きチャンネル情報としてメモリに登録し、この空きチャンネル情報によりチャンネルを開くようにしているのに対して、後者がどの様にしてチャンネルを開くか明示していない点、
▲２▼　前者が、通話チャンネルを開くことによるコントロールチャンネルでの混変調妨害の発生を防止するために、空いている通話チャンネルを示すデータを、空きチャンネル情報として前記メモリに登録するとき、コントロールチャンネルで混変調妨害が発生する場合は、前記空きチャンネル情報として前記メモリに登録することを禁止しているのに対して、後者がどの様にしてチャンネルを開くか明示していない点、
▲３▼　前者が、▲２▼の様にする際、コントロールチャンネルで混変調妨害が発生する場合として、空いている通話チャンネルの周波数と、使用中の通話チャンネルの周波数とから算出した混変調信号の周波数が前記コントロールチャンネルの周波数に略等しい場合を採用しているのに対して、後者がどの様にしてチャンネルを開くか明示していない点、
▲４▼　無線電話装置として、前者が、コードレステレホンを採用しているのに対して、後者が限定していない点、
で相違している。
　従って、本願発明は、前記周知の発明において、▲１▼′前記親機の受信回路が通話チャンネルを順次スキャンすることにより空いている通話チャンネルを示すデータを、空きチャンネル情報としてメモリに登録し、この空きチャンネル情報によりチャンネルを開くようにし、▲２▼′通話チャンネルを開くことによるコントロールチャンネルでの混変調妨害の発生を防止するために、空いている通話チャンネルを示すデータを、空きチャンネル情報として前記メモリに登録するとき、コントロールチャンネルで混変調妨害が発生する場合は、前記空きチャンネル情報として前記メモリに登録することを禁止し、その際、▲３▼′コントロールチャンネルで混変調妨害が発生する場合として、空いている通話チャンネルの周波数と、使用中の通話チャンネルの周波数とから算出した混変調信号の周波数が前記コントロールチャンネルの周波数に略等しい場合を採用し、▲４▼′無線電話装置としてコードレステレホンを採用することにより、発明をすることができたものである。
Ｖ　本願発明の創作容易性
　上記▲１▼′〜▲４▼′について検討する。
▲１▼′について、
　親機と子機との間にコントロールチャンネルを使用して同時に通話チャンネルを開くことができるようにし、前記親機の受信回路が通話チャンネルを順次スキャンすることにより空いている通話チャンネルを示すデータを、空きチャンネル情報としてメモリに登録し、前記親機と子機の間に、前記通話チャンネルを開くとき、前記メモリに登録されている空きチャンネル情報の示す通話チャンネルでチャンネルを開くようにしたＭＣＡ方式の無線通信装置は、引用文献１に第１の発明として記載されているので、
　前記周知の発明において、
　前記親機の受信回路が通話チャンネルを順次スキャンすることにより空いている通話チャンネルを示すデータを、空きチャンネル情報としてメモリに登録し、この空きチャンネル情報によりチャンネルを開くようにして本願発明のようにすることは、当業者が容易になし得たことである。
▲２▼′について、
　通話チャンネルを開くことによるチャンネルでの混変調妨害の発生を防止するために、コントロールチャンネルと通話チャンネルを有し、発呼動作指令に応答して空き通話チャンネルを自動的に探索して探索された空き通話チャンネルを交信用通話チャンネルとして選択する無線通信機において、空き通話チャンネルを示すデータを、空きチャンネル情報としてメモリに登録するとき、通話チャンネルで混変調妨害が発生する場合は、前記空きチャンネル情報として前記メモリに登録することを禁止する無線通信機は、引用文献２に第２の発明として記載されており、
　また、コントロールチャンネルで混変調妨害が発生すると長時間発呼不能となる不都合が生じることが、引用文献１に記載されているので、
　前記周知の発明において、
　通話チャンネルを開くことによるコントロールチャンネルでの混変調妨害の発生を防止するために、空いている通話チャンネルを示すデータを、空きチャンネル情報として前記メモリに登録するとき、コントロールチャンネルで混変調妨害が発生する場合は、前記空きチャンネル情報として前記メモリに登録することを禁止して本願発明のようにすることは、当業者が容易になし得たことである。
▲３▼′について、
　２つの周波数（その周波数をｆ１、ｆ２（ｆ１＜ｆ２）とする）の電波が存在し、且つ非線形要素が介在する場合に、周波数ｆｘ＝ｆ１−（ｆ２−ｆ１）、ｆｙ＝ｆ２＋（ｆ２−ｆ１）の電波が発生することは、通信の分野では広く知られたことであり、
　前記周知の発明の様に、複数組の送信回路及び受信回路を有する無線電話装置に於いて、同時に２つの通話チャンネル（その周波数をｆ１、ｆ２とする）を開くと、周波数が前記ｆｘ、ｆｙのチャンネルに混変調妨害が発生すること、即ち前記コントロールチャンネルの周波数が前記ｆｘ、ｆｙのチャンネルの周波数と略等しいと前記コントロールチャンネルに混変調妨害が発生することは、当業者に容易に推考できるので、
　前記周知の発明において、
　▲２▼′の様にする際、コントロールチャンネルで混変調妨害が発生する場合として、空いている通話チャンネルの周波数と、使用中の通話チャンネルの周波数とから算出した混変調信号の周波数が前記コントロールチャンネルの周波数に略等しい場合を採用して本願発明のようにすることは、当業者が容易になし得たことである。
▲４▼′について、
　無線電話装置としてのコードレステレホンは、例示するまでもなく周知であるので、
　前記周知の発明において、
　無線電話装置としてコードレステレホンを採用して本願発明のようにすることは、当業者が容易になし得たことである。
ＶＩ　結び
　以上Ｉ〜Ｖ項を総合して判断すると、本願明細書の特許請求の範囲の欄の請求項１の記載に係る発明は、前記周知の発明に基づき引用文献１、２に記載された第１、第２の発明を用いて当業者が容易に発明をすることができたものであるので、特許法第２９条第２項の規定により、本件審判請求人である本願出願人は本願明細書の特許請求の範囲の欄の請求項１の記載に係る発明について特許を受けることができない。
　よって、結論の通り審決する。